(57)【特許請求の範囲】
【請求項１】
フィルターが付いている絞りと付いていない絞りをそれぞれ１以上有する撮像装置であって、
撮影準備を指示するシャッタースイッチＳＷ１と、
撮影を指示するシャッタースイッチＳＷ２と、
測光結果に基づき被写体の明るさを判断する第１の判断手段と、
被写体の距離に対応する情報を判断する第２の判断手段と、
フラッシュを制御する第１の制御手段と、
フォーカシングを制御する第２の制御手段とを有し、
前記シャッタースイッチＳＷ１の押下により被写体の明るさと被写体の距離に対応する情報について前記フラッシュを行わずに判断し、前記シャッタースイッチＳＷ２の押下により当該判断された被写体の明るさ、および被写体の距離に応じて、前記フィルターが付いていない絞りから前記フィルターが付いている絞りへ変更してフラッシュを行う場合に、当該絞りの変更による合焦位置のずれを補正するように前記フォーカシングを制御することを特徴とする撮像装置。
【請求項２】
前記フィルターは、ＮＤフィルターであることを特徴とする請求項１に記載の撮像装置。
【請求項３】
前記絞りの変更は、ズーム変更後に行い、続いてフォーカス制御を行うようにしたことを特徴とする請求項１または２に記載の撮像装置。
【請求項４】
フィルターが付いている絞りと付いていない絞りをそれぞれ１以上有し、撮影準備を指示するシャッタースイッチＳＷ１と、撮影を指示するシャッタースイッチＳＷ２と、測光結果に基づき被写体の明るさを判断する第１の判断手段と、被写体の距離に対応する情報を判断する第２の判断手段と、フラッシュを制御する第１の制御手段と、フォーカシングを制御する第２の制御手段とを有する撮像装置の制御方法であって、
前記シャッタースイッチＳＷ１の押下により被写体の明るさと被写体の距離に対応する情報について前記フラッシュを行わずに判断し、前記シャッタースイッチＳＷ２の押下により当該判断された被写体の明るさ、および被写体の距離に応じて、前記フィルターが付いていない絞りから前記フィルターが付いている絞りへ変更してフラッシュを行う場合に、当該絞りの変更による合焦位置のずれを補正するように前記フォーカシングを制御することを特徴とする撮像装置の制御方法。
【請求項５】
請求項１〜３のいずれか１項に記載の各手段としてコンピュータを機能させるためのプログラムを格納したコンピュータ読取り可能な記録媒体。
【請求項６】
請求項４に記載の方法の処理手順をコンピュータに実行させるためのプログラムを格納したコンピュータ読取り可能な記録媒体。
【発明の詳細な説明】
【０００１】
【発明の属する技術分野】
本発明は、静止画像や動画像を撮像、記録あるいは再生する撮像装置、その制御方法およびコンピュータ読取り可能な記録媒体に関する。
【０００２】
【従来の技術】
従来、デジタルカメラ等の撮像装置において、被写体が明るい場合にはシャッタースピードを早くしたり、あるいは絞り径を小さく絞ることにより、露出量を減らして撮影している。ところがデジタルカメラにあっては、撮像素子の画素数が年々増加すると同時に１画素当たりの画素ピッチが減少している。それに伴って、絞り径を小さくした際の回折の影響が増加し、そのままでは良好な画像を得るために絞り径を小さくすることが難しくなってきている。
【０００３】
【発明が解決しようとする課題】
しかしながら、被写体が明るい場合には露出量を減らさなければならない。絞り径を小さくできない場合には、シャッタースピードを速くする方法もあるが、そのような高速シャッターはカメラの小型化、ローコスト化等を阻害する原因になる。
【０００４】
本発明はかかる実情に鑑み、良好画像を得るとともに小型化、ローコスト化等を有効に実現する撮像装置、その制御方法およびコンピュータ読取り可能な記録媒体を提供することを目的とする。
【０００５】
【課題を解決するための手段】
本発明の撮像装置は、フィルターが付いている絞りと付いていない絞りをそれぞれ１以上有する撮像装置であって、撮影準備を指示するシャッタースイッチＳＷ１と、撮影を指示するシャッタースイッチＳＷ２と、測光結果に基づき被写体の明るさを判断する第１の判断手段と、被写体の距離に対応する情報を判断する第２の判断手段と、フラッシュを制御する第１の制御手段と、フォーカシングを制御する第２の制御手段とを有し、前記シャッタースイッチＳＷ１の押下により被写体の明るさと被写体の距離に対応する情報について前記フラッシュを行わずに判断し、前記シャッタースイッチＳＷ２の押下により当該判断された被写体の明るさ、および被写体の距離に応じて、前記フィルターが付いていない絞りから前記フィルターが付いている絞りへ変更してフラッシュを行う場合に、当該絞りの変更による合焦位置のずれを補正するように前記フォーカシングを制御することを特徴とする。
【０００６】
また、本発明の撮像装置において前記フィルターは、ＮＤフィルターであることを特徴とする。
また、本発明の撮像装置において前記絞りの変更は、ズーム変更後に行い、続いてフォーカス制御を行うようにしたことを特徴とする。
【０００７】
また、本発明の撮像装置の制御方法は、フィルターが付いている絞りと付いていない絞りをそれぞれ１以上有し、撮影準備を指示するシャッタースイッチＳＷ１と、撮影を指示するシャッタースイッチＳＷ２と、測光結果に基づき被写体の明るさを判断する第１の判断手段と、被写体の距離に対応する情報を判断する第２の判断手段と、フラッシュを制御する第１の制御手段と、フォーカシングを制御する第２の制御手段とを有する撮像装置の制御方法であって、前記シャッタースイッチＳＷ１の押下により被写体の明るさと被写体の距離に対応する情報について前記フラッシュを行わずに判断し、前記シャッタースイッチＳＷ２の押下により当該判断された被写体の明るさ、および被写体の距離に応じて、前記フィルターが付いていない絞りから前記フィルターが付いている絞りへ変更してフラッシュを行う場合に、当該絞りの変更による合焦位置のずれを補正するように前記フォーカシングを制御することを特徴とする。
【０００９】
また、本発明の記録媒体は、上記いずれかの各手段としてコンピュータを機能させるためのプログラムを格納したコンピュータ読取り可能な記録媒体である。
また、本発明の記録媒体は、上記いずれかの処理手順をコンピュータに実行させるためのプログラムを格納したコンピュータ読取り可能な記録媒体である。
【００１０】
本発明によれば、開放絞りに加えて、複数のＮＤフィルター付きの絞りを用意する。これにより明るい被写体でも、高速シャッターを必要としないで、回折の影響の少ない良好な画像を得ることができ、カメラの小型化、ローコスト化を可能とする。
【００１１】
また、光路にＮＤフィルターが入る場合と入らない場合、厚み、材質の異なる複数のＮＤフィルターの出入りがある場合にはピント位置の補正が必要になる。この場合、絞り変更時に補正量を算出して、次回のフォーカス制御時に補正された位置に制御することで、従来と比較して制御回数を増やすことなくピント補正を行うことができる。
【００１２】
【発明の実施の形態】
以下、図面を参照して本発明の好適な実施の形態を説明する。
図１は、本発明の実施形態における構成を示している。図において、１００は画像処理装置である。１０は撮影レンズ、１２は絞り機能を備えるシャッター、１４は光学像を電気信号に変換する撮像素子であり、システム制御回路５０の制御でその感度を変更できるようになっている。１６は撮像素子１４のアナログ信号出力をデジタル信号に変換するＡ／Ｄ変換器、１８は撮像素子１４、Ａ／Ｄ変換器１６、Ｄ／Ａ変換器２６にクロック信号や制御信号を供給するタイミング発生回路であり、メモリ制御回路２２およびシステム制御回路５０により制御される。
【００１３】
２０は画像処理回路であり、Ａ／Ｄ変換器１６からのデータあるいはメモリ制御回路２２からのデータに対して所定の画素補間処理や色変換処理を行う。画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータは画像処理回路２０、メモリ制御回路２２を介して、あるいは直接メモリ制御回路２２を介して、画像表示メモリ２４あるいはメモリ３０に書き込まれる。
【００１５】
２４は画像表示メモリ、２６はＤ／Ａ変換器、２８はＴＦＴＬＣＤ等からなる画像表示部である。画像表示メモリ２４に書き込まれた表示用の画像データは、Ｄ／Ａ変換器２６を介して画像表示部２８により表示される。画像表示部２８を用いて、撮像した画像データを逐次表示すれば、電子ファインダ機能を実現することが可能である。
【００１６】
また、画像表示部２８は、システム制御回路５０の指示により任意にその表示をＯＮ／ＯＦＦすることが可能である。表示をＯＦＦにした場合には画像処理装置１００の電力消費を大幅に低減することができる。
【００１７】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合も、高速かつ大量の画像書込みをメモリ３０に対して行うことが可能となる。また、メモリ３０はシステム制御回路５０の作業領域としても使用することが可能である。３２は適応離散コサイン変換（ＡＤＣＴ）等により画像データを圧縮・伸長する圧縮・伸長回路であり、メモリ３０に格納された画像を読み込んで圧縮処理あるいは伸長処理を行い、処理を終えたデータをメモリ３０に書き込む。
【００１８】
４０は絞り機能を備えるシャッター１２を制御する露光制御手段であり、フラッシュ４８と連携することによりフラッシュ調光機能も有する。
【００１９】
４２は撮影レンズ１０のフォーカシングを制御する測距制御手段、４４は撮影レンズ１０のズーミングを制御するズーム制御手段、４６は振れを補正する手段である光学防振手段１０２の動作を制御する防振制御手段である。この防振制御手段４６には、電力消費は大きいが追従特性のよい通常モードと、電力消費は少ないが追従特性がやや劣るエコノミーモードとがある。４８はフラッシュであり、ＡＦ補助光の投光機能、フラッシュ調光機能も有している。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２０】
５０は画像処理装置１００の全体を制御するシステム制御回路、５２はシステム制御回路５０の動作用の定数、変数、プログラム等を記憶するメモリである。５４はシステム制御回路５０でのプログラムの実行に応じて、文字、画像あるいは音声等を用いて動作状態やメッセージ等を表示する液晶表示装置、スピーカー等の表示部であり、画像処理装置１００の操作部近辺の視認し易い位置に、単数あるいは複数個所設置され、たとえばＬＣＤやＬＥＤ、発音素子等の組合わせにより構成されている。また、表示部５４はその一部の機能が、光学ファインダ１０４内に設置されている。
【００２１】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００および２１０の着脱状態表示、通信Ｉ／Ｆ動作表示、日付け・時刻表示等がある。
【００２２】
また、表示部５４の表示内容のうち、光学ファインダ１０４内に表示するものとしては、合焦表示、手振れ警告表示、フラッシュ充電表示、シャッタースピード表示、絞り値表示、露出補正表示等がある。
【００２３】
５６は電気的に消去・記録可能な不揮発性メモリであり、たとえばＥＥＰＲＯＭ等が用いられる。
【００２４】
６０，６２，６４，６６，６８および７０は、システム制御回路５０の各種の動作指示を入力するための操作手段であり、スイッチやダイアル、タッチパネル、視線検知によるポインティング、音声認識装置等の単数あるいは複数の組合わせで構成される。
【００２５】
ここで、これらの操作手段の具体的な説明を行う。
６０はモードダイアルスイツチであり、電源オフ、自動撮影モード、撮影モード、パノラマ繋ぎ撮り撮影モード、再生モード、マルチ画面再生・消去モード、ＰＣ接続モード等の各機能モードを切替え設定することができる。
６２はシャッタースイッチＳＷ１であり、図示しないシャッターボタンの操作の途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２６】
６４はシャッタースイッチＳＷ２であり、図示しないシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理を行ない、メモリ３０から画像データを読み出す。そして圧縮・伸長回路３２で圧縮を行い、記録媒体２００あるいは２１０に画像データを書き込む記録処理という一連の処理の動作開始を指示する。
【００２７】
６６は画像表示ＯＮ／ＯＦＦスイッチであり、画像表示部２８のＯＮ／ＯＦＦを設定することができる。この機能により光学ファインダ１０４を用いて撮影を行なう際にＴＦＴＬＣＤ等からなる画像表示部２８への電流供給を遮断することにより省電力を図ることができる。
６８はズームスイッチであり、記録画像の拡大縮小を切り替えることができる。
【００２８】
７０は各種ボタンやタッチパネル等からなる操作部であり、メニューボタン、セットボタン、マクロ／非マクロ切替えボタン、マルチ画面再生改ぺージボタン、フラッシュ設定ボタン、単写／連写／セルフタイマー切替えボタン、メニュー移動「＋」（プラス）ボタン、メニュー移動「−」（マイナス）ボタン、再生画像移動「＋」（プラス）ボタン、再生画像移動「−」（マイナス）ボタン、撮影画質選択ボタン、露出補正ボタン、日付／時間設定ボタン等がある。
【００２９】
８０は電源制御手段であり、電池検出回路、ＤＣ−ＤＣコンバータ、通電するブロックを切り替えるスイッチ回路等により構成されており、電池の装着の有無、電池の種類、電池残量の検出を行い、検出結果およびシステム制御回路５０の指示に基づいてＤＣ−ＤＣコンバータを制御し、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３０】
９０および９４はメモリカードやハードディスク等の記録媒体とのインタフェース、９２および９６はメモリカードやハードディスク等の記録媒体と接続を行うコネクタ、９８はコネクタ９２および／あるいは９６に記録媒体２００あるいは２１０が装着されているか否かを検知する記録媒体着脱検知手段である。
【００３１】
なお、本実施形態では記録媒体を取り付けるインターフェースおよびコネクタを２系統持つものとして説明している。もちろん、記録媒体を取り付けるインターフェースおよびコネクタは、単数あるいは複数いずれの系統数を備える構成としても差し支えない。また、異なる規格のインターフェースおよびコネクタを組み合わせて備える構成としてもよい。
【００３２】
インターフェースおよびコネクタとしては、ＰＣＭＣＩＡカード等の規格に準拠したものを用いて構成して構わない。さらに、インタフェース９０および９４、そしてコネクタ９２および９６をＰＣＭＣＩＡカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００３３】
１０２は画像の振れを防止する光学防振手段であり、防振制御手段４６によって制御される。
１０４は光学ファインダであり、画像表示部２８による電子ファインダ機能を使用することなしに光学ファインダのみを用いて撮影を行うことが可能である。また、光学ファインダ１０４内には、表示部５４の一部の機能、たとえば合焦表示、手振れ警告表示、フラッシュ充電表示、シャッタースピード表示、絞り値表示、露出補正表示などが設置されている。
１１０は通信手段であり、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信手段１１０により画像処理装置１００を他の機器と接続するコネクタあるいは無線通信の場合はアンテナである。
【００３４】
２００はメモリカードやハードディスク等の記録媒体である。記録媒体２００は、半導体メモリや磁気ディスク等から構成される記録部２０２、画像処理装置１００とのインタフェース２０４および画像処理装置１００と接続を行うコネクタ２０６を備えている。
２１０はメモリカードやハードディスク等の記録媒体である。記録媒体２１０は、半導体メモリや磁気ディスク等から構成される記録部２１２、画像処理装置１００とのインタフェース２１４および画像処理装置１００と接続を行うコネクタ２１６を備えている。
【００３５】
図２を参照して、この実施形態における画像処理装置１００の動作を説明する。
図２は本実施形態の画像処理装置１００の主ルーチンのフローチャートを示す。
ステップＳ１０１においてシステム制御回路５０により、シャッタースイッチＳＷ１（６２）が押下された場合はステップＳ１０２に進み、そうでない場合はステップＳ１０１に戻る。
【００３６】
ステップＳ１０２において測光、測色などの撮影準備動作を行い、ステップＳ１０３に進む。
ステップＳ１０３においてステップＳ１０２での測光の結果、被写体がＥｖ１１以下の場合にはステップＳ１０４に進み、一方Ｅｖ１３以上の場合にはステップＳ１０６に進み、上記以外、すなわちＥｖ１１〜１３の場合はステップＳ１０５に進む。
【００３７】
ステップＳ１０４において絞りを開放Ａｖ値のＡｖ３に制御して、ステップＳ１０７に進む。
ステップＳ１０５において絞りをＡｖ５に制御して、ステップＳ１０８に進む。ここに、「Ａｖ５の絞り」とは絞り径はＡｖ４で、それに１段のＮＤフィルターを付けた絞りである。
ステップＳ１０６において絞りをＡｖ７に制御して、ステップＳ１０９に進む。
ここに、「Ａｖ７の絞り」とは絞り径はＡｖ４で、それに３段のＮＤフィルターを付けた絞りである。なお、本発明では上記のように複数のＮＤフィルターを使って、複数の絞りに変更することができるようになっている。
【００３８】
ステップＳ１０７においてＮＤフィルター無しの場合の補正値を算出し、ステップＳ１１０に進む。
ステップＳ１０８においてＮＤフィルター１段の場合の補正値を算出し、ステップＳ１１０に進む。
ステップＳ１０９においてＮＤフィルター３段の場合の補正値を算出し、ステップＳ１１０に進む。
【００３９】
ステップＳ１１０において上記補正値に基づいて測距動作を行い、その測距結果に基づいて合焦動作を行って、ステップＳ１１１に進む。
ステップＳ１１１において、シャッタースイッチＳＷ２（６４）が押下された場合はステップＳ１１３に進み、そうでない場合はステップＳ１１２に進む。
ステップＳ１１２において、シャッタースイッチＳＷ１（６２）が押下されている場合はステップＳ１１１に進み、そうでない場合はステップＳ１０１に戻る。
【００４０】
ステップＳ１１３においてステップＳ１０２での測光結果から、被写体が暗くてフラッシュが必要な場合はステップＳ１１４に進み、そうでない場合はステップＳ１１５に進む。
ステップＳ１１４においてステップＳ１１０での測距結果から、被写体距離が２ｍ以上の場合はステップＳ１１７に進み、被写体が距離が１ｍ以下の場合にはステップＳ１１９に進み、上記以外、すなわち被写体距離が１〜２ｍの場合はステップＳ１１８に進む。
【００４１】
ステップＳ１１７において絞りを開放Ａｖ値のＡｖ３に制御して、ステップＳ１２０に進む。
ステップＳ１１８では絞りをＡｖ５に制御して、ステップＳ１２１に進む。
ここに、「Ａｖ５の絞り」とは絞り径はＡｖ４で、それに１段のＮＤフィルターを付けた絞りである。
ステップＳ１１９において絞りをＡｖ７に制御して、ステップＳ１２２に進む。ここに、「Ａｖ７の絞り」とは絞り径はＡｖ４で、それに３段のＮＤフィルターを付けた絞りである。
【００４２】
ステップＳ１２０においてＮＤフィルター無しの場合の補正値を算出し、ステップＳ１２３に進む。
ステップＳ１２１においてＮＤフィルター１段の場合の補正値を算出し、ステップＳ１２３に進む。
ステップＳ１２２においてＮＤフィルター３段の場合の補正値を算出し、ステップＳ１２３に進む。
ステップＳ１２３において上記補正値に基づいて合焦動作を行って、ステップＳ１１５に進む。
【００４３】
そして、ステップＳ１１５において撮影を行って、ステップＳ１１６に進む。ステップＳ１１６において撮影された画像を記録してステップＳ１１１に戻る。
【００４４】
つぎに、図３を参照して本発明の第２の実施形態を説明する。
図３は本実施形態の画像処理装置１００の主ルーチンのフローチャートを示す。
ステップＳ２０１においてシステム制御回路５０により、画像表示ＯＮ／ＯＦＦスイッチ６６がＯＮされた場合はステップＳ２０２に進み、そうでない場合はステップＳ２０１に戻る。
【００４５】
ステップＳ２０２において測光、測色などの画像表示準備動作を行い、ステップＳ２０３に進む。
ステップＳ２０３においてステップＳ２０２での測光の結果、被写体がＥｖ１１以下の場合にはステップＳ２０４に進み、Ｅｖ１３以上の場合にはステップＳ２０６に進み、上記以外、すなわちＥｖ１１〜１３の場合にはステップＳ２０５に進む。
【００４６】
ステップＳ２０４において絞りを開放Ａｖ値のＡｖ３に制御して、ステップＳ２０７に進む。
ステップＳ２０５において絞りをＡｖ５に制御して、ステップＳ２０８に進む。ここに、「Ａｖ５の絞り」とは絞り径はＡｖ４で、それに１段のＮＤフィルターを付けた絞りである。
ステップＳ２０６において絞りをＡｖ７に制御して、ステップＳ２０９に進む。ここに、「Ａｖ７の絞り」とは絞り径はＡｖ４で、それに３段のＮＤフィルターを付けた絞りである。
【００４７】
ステップＳ２０７においてＮＤフィルター無しの場合の補正値を算出し、ステップＳ２１０に進む。
ステップＳ２０８においてＮＤフィルター１段の場合の補正値を算出し、ステップＳ２１０に進む。
ステップＳ２０９においてＮＤフィルター３段の場合の補正値を算出し、ステップＳ２１０に進む。
【００４８】
ステップＳ２１０において上記補正値に基づいて合焦動作を行い、画像表示を行ってステップＳ２１１に進む。
ステップＳ２１１において画像表示ＯＮ／ＯＦＦスイッチ６６がＯＮされている場合はステップＳ２１３に進み、そうでない場合はステップＳ２１２に進む。
ステップＳ２１２において画像表示を終了して、ステップＳ２０１に戻る。
【００４９】
ステップＳ２１３において測光、測色などを行い、ステップＳ２１４に進む。ステップＳ２１４においてズームスイッチ６８がＯＮされている場合はステップＳ２１５に進み、そうでない場合はステップＳ２１１に戻る。
ステップＳ２１５においてズーム動作を行って、ステップＳ２１６に進む。
ステップＳ２１６においてズームスイッチ６８がＯＦＦされた場合はステップＳ２１７に進み、そうでない場合はステップＳ２１６に戻る。
ステップＳ２１７において撮影された画像を記録してステップＳ２０２に戻る。
【００５０】
ここで、上記様々な実施形態に示した各機能ブロックおよび処理手順は、ハードウェアにより構成しても良いし、ＣＰＵあるいはＭＰＵ、ＲＯＭおよびＲＡＭ等からなるマイクロコンピュータシステムによって構成し、その動作をＲＯＭやＲＡＭに格納された作業プログラムに従って実現するようにしても良い。また、上記各機能ブロックの機能を実現するように当該機能を実現するためのソフトウェアのプログラムをＲＡＭに供給し、そのプログラムに従って上記各機能ブロックを動作させることによって実施したものも、本発明の範疇に含まれる。
【００５１】
この場合、上記ソフトウェアのプログラム自体が上述した各実施形態の機能を実現することになり、そのプログラム自体、及びそのプログラムをコンピュータに供給するための手段、例えばかかるプログラムを格納した記録媒体は本発明を構成する。かかるプログラムを記憶する記憶媒体としては、上記ＲＯＭやＲＡＭの他に例えばハードディスク、光ディスク、光磁気ディスク、ＣＤ−ＲＯＭ、ＣＤ−Ｉ、ＣＤ−Ｒ、ＣＤ−ＲＷ、ＤＶＤ、ｚｉｐ、磁気テープ、あるいは不揮発性のメモリカード等を用いることができる。
【００５２】
また、コンピュータが供給されたプログラムを実行することにより、上述の実施形態の機能が実現されるだけでなく、そのプログラムがコンピュータにおいて稼働しているＯＳ（オペレーティングシステム）あるいは他のアプリケーションソフト等の共同して上述の実施形態の機能が実現される場合にもかかるプログラムは本発明の実施形態に含まれることは言うまでもない。
【００５３】
さらに、供給されたプログラムがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
本実施形態によれば、開放絞りに加えて、複数のＮＤフィルター付きの絞りを用意して、絞り変更時にピント位置の補正量を算出して、次回のフォーカス制御時に補正された位置に制御することで、従来と比較して制御回数を増やすことなくピント補正を行うことができる。
【００５４】
【発明の効果】
以上説明したように本発明によれば、経済的で、明るい被写体でも、高速シャッターを必要としないで、回折の影響の少ない良好な画像を得ることができ、有効にカメラの小型化、ローコスト化を実現とする等の利点を有している。
【図面の簡単な説明】
【図１】本発明の実施形態における構成を示すブロック図である。
【図２】本発明の実施形態における主ルーチンの一部を示すフローチャートである。
【図３】本発明の第２の実施形態における主ルーチンの一部を示すフローチャートである。
【符号の説明】
１０    撮影レンズ
１２    シャッター
１４    撮像素子
１６    Ａ／Ｄ変換器
１８    タイミング発生回路
２０    画像処理回路
２２    メモリ制御回路
２４    画像表示メモリ
２６    Ｄ／Ａ変換器
２８    画像表示部
３０    メモリ
３２    画像圧縮・伸長回路
４０    露光制御手段
４２    測距制御手段
４４    ズーム制御手段
４６    防振制御手段
４８    フラッシュ
５０    システム制御回路
５２    メモリ
５４    表示部
５６    不揮発性メモリ
６０    モードダイアルスイッチ
６２    シャッタースイッチＳＷ１
６４    シャッタースイッチＳＷ２
６６    画像表示ＯＮ／ＯＦＦスイツチ
６８    ズームスイツチ
７０    操作部
８０    電源制御手段
８２    コネクタ
８４    コネクタ
８６    電源手段
９０    インタフェース
９２    コネクタ
９４    インタフェース
９６    コネクタ
９８    記録媒体着脱検知手段
１００    画像処理装置
１０２    光学防振手段
１０４    光学ファインダ
１１０    通信手段
１１２    コネクタ（またはアンテナ）
２００    記録媒体
２０２    記録部
２０４    インタフェース
２０６    コネクタ
２１０    記録媒体
２１２    記録部
２１４    インタフェース
２１６    コネクタ
【図１】
0004532668.tif 000002
【図２】
0004532668.tif 000003
【図３】
0004532668.tif 000004